(57)【要約】【課題】高周波数帯域の音質を変えることなく、出力音圧を大きくすることができるスピーカ装置を提供すること。【解決手段】低周波数帯域再生部１４と中高周波数帯域再生部１５の互いに接触する面において着脱可能な構成を有し、かつ低周波数帯域再生部１４と中高周波数帯域再生部１５との内部空間が互いに貫通した構成を有していることにより、様々な音場再生空間に対して高周波数帯域の音質を変えることなく、出力音圧を大きくでき、各音場再生空間に対して最適なバランスで再生することができる。【選択図】　図１
2004072651.tif 000002
【特許請求の範囲】
【請求項１】
可聴周波数帯域の中で低周波数帯域を再生する第１のスピーカを有するとともに、側面に開口部を有し、かつ前記側面に対し着脱可能な側板を有する低周波数帯域再生部と、中周波数帯域を再生する第２のスピーカおよび高周波数帯域を再生する第３のスピーカを有するとともに、両側面に開口部を有し、かつ前記両側面に対し着脱可能な側板を有する中高周波数帯域再生部とを備えたスピーカ装置であって、
前記中高周波数帯域再生部は、両側面に前記低周波数帯域再生部を着脱可能な構造を有しており、前記低周波数帯域再生部と前記中高周波数帯域再生部とが固着されているときには、前記低周波数帯域再生部の側板および前記中高周波数帯域再生部の両側板が固着されずに、内部空間が貫通する構成を有することを特徴とするスピーカ装置。
【請求項２】
前記低周波数帯域再生部の前記開口部は、前記側板が固着されることにより、前記低周波数帯域再生部単体で低周波数帯域再生用スピーカとして動作することを特徴とする請求項１記載のスピーカ装置。
【請求項３】
前記中高周波数帯域再生部の前記開口部は、前記側板が両側面に固着されることにより、前記中高周波数帯域再生部単体で中高周波数帯域再生用スピーカとして動作することを特徴とする請求項１記載のスピーカ装置。
【請求項４】
前記低周波数帯域再生部と前記中高周波数帯域再生部とが固着された少なくとも一つの前記スピーカ装置と、前記中高周波数帯域再生部の前記開口部に前記側板が固着された少なくとも一つの前記スピーカ装置とを有したスピーカシステム。
【発明の詳細な説明】
【０００１】
【発明の属する分野】
本発明は、ホール、劇場等にて使用されるスピーカ装置に関する。
【０００２】
【従来の技術】
大規模なホール、アリーナ、劇場等または屋外・屋内競技場等で使用されるスピーカ装置は、音の到達距離をのばすために、出力音圧を大きくすることが要求される。このために、従来は、例えば図６に示されるスピーカ装置を積み上げることにより、各スピーカの干渉を用いて音波の放射の指向係数を大きくする方法が用いられている。これは放射エネルギーの指向角を鋭くして、中心に集めて音圧を稼ぐものであり、低い周波数からも音圧の制御ができるものである。図７には、従来のスピーカ装置のシステム系統図を示している。ＣＤ７０、マイク７１等の信号がミキサ７２を経て、プロセッサ７３でクロスオーバー周波数の設定やレベルバランスの設定を行い、パワーアンプ７４で増幅され、低周波数帯域再生スピーカ６１、中周波数帯域再生スピーカ６２および高周波数帯域再生ホーン６３に接続される。
【０００３】
通常、図６に示されるような従来のスピーカ装置６０としては、低域用のスピーカ６１、中域用のスピーカ６２および高域用のスピーカ６３を一体化したものを使用する。また、設置場所の音場空間によって、スピーカ装置６０を必要個数積み重ね、さらに高域用のみを再生するスピーカを別途設置することにより、音圧を稼ぐことのできるスピーカシステムを構成している。なぜなら、中・低域はコーン型のスピーカを用いて位相干渉による音圧増加が図れるが、高域については、高域特性改善のために、中・低域とは異なるホーン型のスピーカを用いる必要があるからである。
【０００４】
【発明が解決しようとする課題】
しかしながら、上記従来のスピーカ装置またはスピーカシステムにおいては、使用空間の大きさや使用空間のもつ固有の残響時間によって、高域用のみを再生するスピーカを別途設置するという対策をとっていたため、高周波数帯域の音質が変わってしまうという問題があった。
【０００５】
本発明は、上記従来の問題を解決するためになされたもので、高周波数帯域の音質を変えることなく、出力音圧を大きくすることができるスピーカ装置を提供することを目的とする。
【０００６】
【課題を解決するための手段】
本発明のスピーカ装置は、可聴周波数帯域の中で低周波数帯域を再生する第１のスピーカを有するとともに、側面に開口部を有し、かつ前記側面に対し着脱可能な側板を有する低周波数帯域再生部と、中周波数帯域を再生する第２のスピーカおよび高周波数帯域を再生する第３のスピーカを有するとともに、両側面に開口部を有し、かつ前記両側面に対し着脱可能な側板を有する中高周波数帯域再生部とを備えたスピーカ装置であって、前記中高周波数帯域再生部は、両側面に前記低周波数帯域再生部を着脱可能な構造を有しており、前記低周波数帯域再生部と前記中高周波数帯域再生部とが固着されているときには、前記低周波数帯域再生部の側板および前記中高周波数帯域再生部の両側板が固着されずに、内部空間が貫通する構成を有している。
【０００７】
この構成により、様々な音場再生空間に対して高周波数帯域の音質を変えることなく、出力音圧を大きくでき、各音場再生空間に対して最適なバランスで再生することができる。また、前記低周波数帯域再生部と前記中高周波数帯域再生部を固着した時に、内部空間が貫通構造となることにより、セパレート形スピーカとは異なり、本来の低周波数帯域の再生に変化を与えることなく再生できる。
【０００８】
また、本発明のスピーカ装置は、前記低周波数帯域再生部の前記開口部は、前記側板が固着されることにより、前記低周波数帯域再生部単体で低周波数帯域再生用スピーカとして動作する構成を有している。
【０００９】
この構成により、前記低周波数帯域再生部を単独で使用することが可能となる。
【００１０】
さらに、本発明のスピーカ装置は、前記中高周波数帯域再生部の前記開口部は、前記側板が両側面に固着されることにより、前記中高周波数帯域再生部単体で中高周波数帯域再生用スピーカとして動作する構成を有している。
【００１１】
この構成により、前記中高周波数帯域再生部を単独で使用することが可能となる。
【００１２】
さらに、本発明のスピーカシステムは、前記低周波数帯域再生部と前記中高周波数帯域再生部とが固着された少なくとも一つの前記スピーカ装置と、前記中高周波数帯域再生部の前記開口部に前記側板が固着された少なくとも一つの前記前記スピーカ装置とを有した構成を有している。
【００１３】
この構成により、様々な音場再生空間に対して高周波数帯域の音質を変えることなく、出力音圧を大きくでき、各音場再生空間に対して最適なバランスで再生することができる。
【００１４】
【発明の実施の形態】
以下、本発明の実施の形態について、図面を用いて説明する。
【００１５】
本発明の実施の形態のスピーカ装置を図１から図５に示す。
【００１６】
本発明のスピーカ装置の斜視図を図１に示す。図１において、スピーカ装置１０は低周波数帯域再生スピーカ１１を有する低周波数帯域再生部（以下、ローボックスという）１４と、中周波数帯域再生スピーカ１２および高周波数帯域再生スピーカ１３を有する中高周波数帯域再生部（以下、ハイボックスという）１５とを備え、ハイボックス１５の左右両側面にローボックス１４を有した構成である。
【００１７】
低周波数帯域再生スピーカ１１および中周波数帯域再生スピーカ１２には、コーン形スピーカをそれぞれ使用し、高周波数帯域再生スピーカ１３には、ホーン形スピーカを使用する。また、ローボックス１４と両側面に段差部２０を有するハイボックス１５とは段差部２０で接合され、ローボックス１４とハイボックス１５とで形成される筐体の内部空間は貫通した構造になっている。さらに、図３のローボックスの分割時の斜視図および図４のハイボックスの分割時の斜視図に示す如く、ローボックス１４は、開口部を有し、かつこの開口部をふさぐように側面にローボックス用側板３２を取り付けることができ、ハイボックス１５は、両側面に開口部を有し、かつこれらの開口部をふさぐように両側面にハイボックス用側板４０を取り付けることができる構成を有している。
【００１８】
以上のように構成されたスピーカ装置について、図２から図５を用いて、その動作を説明する。
【００１９】
まず、小さなホール等で使用する場合は、スピーカ装置一つで出力音圧が十分なため、図２の接合部の拡大断面図に示されるように、段差部２０にて、ローボックス１４とハイボックス１５とを段差形状で接合し、これらをボルト２１で固定したスピーカ装置を使用する（図１参照）。
【００２０】
この場合、ローボックス１４とハイボックス１５とが固着されるためローボックス用の側板およびハイボックス用の側板は取り外された状態である。
これにより、従来のスピーカ装置において、低域、中域および高域のそれぞれの周波数帯域を再生するためのスピーカが要していた容積を、本発明のスピーカ装置においても同程度確保できる。つまり、コーン型のスピーカを使用している中・低域の周波数帯域については、エンクロージャの容積を全部使用できるため豊かな低音再生が可能となる。
【００２１】
次に、大きなホール等で大きな出力音圧が必要な場合は、スピーカ装置を複数上下方向にアレイ状に積み重ねたり、吊り下げて使用する。
このとき、中・低周波数帯域はコーン型のスピーカを用いているためアレイ状にすることにより位相干渉による音圧増加が図れるが、高周波数帯域については、コーン型ではロールオフするためにホーン型を使用しているため、音圧増加が少ない。従って図５のスピーカシステム５０に示すようにハイボックス１５のみを複数個使用する。これにより、低周波数帯域については低周波数帯域再生スピーカ１１がないため、中周波数帯域についてはスピーカエンクロージャが減少するため、中・低周波数帯域が削られた特性となるが、高周波数帯域とのバランスを調整することが可能となる。
【００２２】
ハイボックス１５について詳述すると、図４のハイボックスの分割時の斜視図に示すように、均一な厚みを有するハイボックス用側板４０をハイボックス１５の開口部に固着し、ハイボックス１５の嵌合部４２とハイボックス用側板４０の嵌合部４３とを（合計８ヶ所）ボルト（図示せず）で固定する。反対側の側面についても同様にハイボックス用側板４０を取り付ける。ハイボックス１５の嵌合部４１は、ローボックス１４を固着するときに利用する。
【００２３】
一方、ローボックス１４のみを使用する場合は、図３のローボックスの分割時の斜視図に示すように、均一な厚みを有するローボックス用側板３２をローボックス１４の開口部に固着し、ローボックス１４の嵌合部３１とローボックス用側板３２の嵌合部３３とを（合計８ヶ所）ボルト（図示せず）で固定する。ローボックス１４の嵌合部３０は、ハイボックス１５を固着するときに使用され、ハイボックス１５の嵌合部４１とボルトで固定される。
【００２４】
これにより、ローボックス１４またはハイボックス１５を単独で使用することが可能となるので、スピーカ装置１０を複数使用するスピーカシステムにおいて、低周波数帯域がレベルバランス的に大きい空間においては低周波数帯域を減らすために、スピーカ装置１０を分割し、ローボックス１４のみを減らす設置方法が可能になる。
【００２５】
また、従来では音場再生空間によっては、異なったタイプのスピーカを組み合わせるなどの対策を実施し、高周波数帯域の音質が変化するという問題を生じていたのに対し、本発明では、音場再生空間によらず、音質の統一を確保する事ができる。
【００２６】
このように本発明の実施の形態によれば、ローボックス１４とハイボックス１５の互いに接触する面において着脱可能な構造を有し、かつローボックス１４とハイボックス１５とが固着されているときには、ローボックス１４とハイボックス１５の内部空間が互いに貫通した構造を有することにより、スピーカ装置単体で使用する時には、低域、中域および高域それぞれの周波数帯域を再生するためのスピーカ本来の再生に変化を与えることなく使用できる。また、複数のスピーカ装置１０を上下方向にアレイ状に積み重ねたり、吊り下げたりして使用する場合に、再生空間に合わせてスピーカ装置１０を分割することで、ローボックス１４の数を調整し、再生音の低中周波数帯域と高周波数帯域とのレベルバランスをとることが可能となる。
【００２７】
【発明の効果】
以上のように本発明のスピーカ装置は、低周波数帯域再生部と中高周波数帯域再生部の互いに接触する面において着脱可能な構成を有し、かつ低周波数帯域再生部と中高周波数帯域再生部との内部空間が互いに貫通した構成を有していることにより、様々な音場再生空間に対して高周波数帯域の音質を変えることなく、出力音圧を大きくでき、各音場再生空間に対して最適なバランスで再生することができるものである。また、前記低周波数帯域再生部と前記中高周波数帯域再生部を固着した時に、内部空間が貫通構造となることにより、セパレート形スピーカとは異なり、本来の低周波数帯域の再生に変化を与えることなく再生することができるものである。
【図面の簡単な説明】
【図１】本発明の実施の形態のスピーカ装置を示す斜視図
【図２】本発明の実施の形態において接合部を示す拡大断面図
【図３】本発明の実施の形態においてローボックスを分割使用した場合の斜視図
【図４】本発明の実施の形態においてハイボックスを分割使用した場合の斜視図
【図５】本発明の実施の形態においてライン状に設置したスピーカシステムの状態を示す正面図
【図６】従来のスピーカ装置を示す斜視図
【図７】従来のスピーカ装置のシステム系統図
【符号の説明】
１０　スピーカ装置
１１　低周波数帯域再生スピーカ
１２　中周波数帯域再生スピーカ
１３　高周波数帯域再生ホーン
１４　ローボックス
１５　ハイボックス
２０　段差部
２１　ボルト
３０、３１、３３、４１、４２、４３　嵌合部
３２　ローボックス用側板
４０　ハイボックス用側板
５０　スピーカシステム
【図１】
2004072651.tif 000003
【図２】
2004072651.tif 000004
【図３】
2004072651.tif 000005
【図４】
2004072651.tif 000006
【図５】
2004072651.tif 000007
【図６】
2004072651.tif 000008
【図７】
2004072651.tif 000009